(57)【特許請求の範囲】
【請求項１】
ゴルフ練習打席の周囲を取囲むように空気ダクト装置を設け、該空気ダクト装置に送風ファンの送風口を接続し、前記空気ダクト装置におけるゴルフ練習打席を取り囲む内側面に複数の空気口を設けると共に、各空気口に別個に開閉が可能なゲート装置を設けたことを特徴とするゴルフシミュレーションゲーム環境装置。
【請求項２】
請求項１に記載の空気ダクト装置を上下２段に備え、一方の段の空気ダクト装置に前記送風ファンの送風口を接続し、他方の段の空気ダクト装置に前記送風ファンの吸引口を接続したことを特徴とするゴルフシミュレーションゲーム環境装置。
【請求項３】
ゴルフ練習打席の上部近傍に、給水管に接続された散水ノズルを備えたことを特徴とする請求項１又は２に記載のゴルフシミュレーションゲーム環境装置。
【発明の詳細な説明】
【０００１】
【発明の属する技術分野】
本発明は、ゴルフコースでのプレーと同様の風或いは雨を体感しながらゴルフシミュレーションゲームやゴルフのショットの練習ができるようにしたゴルフシミュレーションゲーム環境装置に関するものである。
【０００２】
【従来の技術】
ゴルフの愛好家の殆どは、ゴルフ練習場等に通ってボールを実際に打つことにより、ゴルフコースでのプレーを想定した練習を行っており、又近年ではコンピュータ設備を備えて自分のショットをチェックできるようにしたスイングチェッカーや、スクリーンに写し出されたゴルフコースに向ってシミュレーションゴルフゲームをするゴルフシミュレーションゲーム環境装置が開発されている。
【０００３】
図３は従来のゴルフシミュレーションゲーム環境装置の一例を示したもので、図中１はゴルフ練習打席であり、該ゴルフ練習打席１の使用者がスタンスを取る位置には図示しないゴムマットが敷かれており、更にボール２を置く位置には人工芝マット３或いはゴム製のティー等が備えてあり、また、ゴルフ練習打席１のショット方向前方には打球を受けるスクリーン４が張設されており、該スクリーン４には的が印字されていたり、或いは図３に示すようにゴルフコースの１つのホールが写し出されたりしている。
【０００４】
ゴルフシミュレーションゲーム環境装置には種々のセンサ機器等が備えられており、ゴルフ練習打席１にスタンスを取り、人工芝マット３上或いはゴム製のティー上にボール２を乗せてショットを行うと、練習者がスタンスをとった状態の映像、打球フォームの映像、インパクト時の瞬間映像、及びヘッドスピード、打球の方向、打球の飛距離等のデータが、スクリーン４上、或いはゴルフ練習打席１の傍に備えられた操作盤５のモニターテレビ等に表示されるようになっている。従って、練習者は、この表示内容に基づいてショット時の欠点箇所等をチェックしながら練習することができるようになっている。
【０００５】
即ち、スクリーン４上のコース画面に向ってショットを行うと、ショットの方向と速度が各種センサーで計測され、その演算結果からスクリーン４画面上に打球が写し出されてボールの飛球方向、飛距離が写し出されることによりシミュレーションゲームが行われる。この場合、各ホールの画面にプログラムによる風向き、風力が表示されるようになっており、練習者は、その表示に対処したショットを練習するようになっている。
【０００６】
また、風の向き、及び風の強さといった風による条件を練習者が設定し、それをスクリーン４或いは操作盤５のモニターテレビに表示できるようになっており、練習者はこの風の向き、風の強さに対処したショットの練習も行えるようになっている。
【０００７】
【発明が解決しようとする課題】
しかし、上記従来のゴルフシミュレーションゲーム環境装置においては、風の向き、及び風の強さが単にスクリーン４或いは操作盤５のモニターテレビ上に表示されるだけであり、実際に練習者が風を体感しながらショットの練習をすることはできない。
【０００８】
このため、例えば風速１０メートルの向かい風（アゲインスト）といった条件が表示されても、実際にどの程度の強さの風なのか体感することができないために、ゴルフコースでショットする際に、今の風の向きや強さを体で感じて判断することができず、従ってゴルフシミュレーションゲーム環境装置での練習やゲームの成果を実際のプレーで発揮することができないという問題があった。
【０００９】
本発明は、斯かる従来の問題点を解決すべくなしたもので、モニターテレビやスクリーン上の表示だけでは捉えきれない風の向きや強さを体感しながらショットの練習を行うことができるゴルフシミュレーションゲーム環境装置を提供することを目的としている。
【００１０】
【課題を解決するための手段】
請求項１に記載の発明は、ゴルフ練習打席の周囲を取囲むように空気ダクト装置を設け、該空気ダクト装置に送風ファンの送風口を接続し、前記空気ダクト装置におけるゴルフ練習打席を取り囲む内側面に複数の空気口を設けると共に、各空気口に別個に開閉が可能なゲート装置を設けたことを特徴とするゴルフシミュレーションゲーム環境装置、に係るものである。
【００１１】
請求項２に記載の発明は、請求項１に記載の空気ダクト装置を上下２段に備え、一方の段の空気ダクト装置に前記送風ファンの送風口を接続し、他方の段の空気ダクト装置に前記送風ファンの吸引口を接続したことを特徴とするゴルフシミュレーションゲーム環境装置、に係るものである。
【００１２】
請求項３に記載の発明は、ゴルフ練習打席の上部近傍に、給水管に接続された散水ノズルを備えたことを特徴とする請求項１又は２に記載のゴルフシミュレーションゲーム環境装置、に係るものである。
【００１３】
上記手段は以下のような作用を有する。
【００１４】
請求項１に記載の発明では、送風ファンを駆動して、空気口からゴルフ練習打席に向けて任意の強さで空気を吹出させることにより、風を体感しながらショットの練習を行うことができ、よってゴルフコースでのプレーに即した効率的な練習をゴルフシミュレーションゲーム環境装置で行うことができる。
【００１５】
請求項２に記載の発明では、ゴルフ練習打席上に、希望の、又はシミュレーションプログラムによる空気の流れを形成させることができ、風の向き及び強さの調節を精度良く行わせることができる。
【００１６】
請求項３に記載の発明では、ゴルフ練習打席の上部近傍に設けた散水ノズルから散水を行うことにより、雨中での練習を体感することができる。
【００１７】
【発明の実施の形態】
以下、本発明の実施の形態を、図示例と共に説明する。
【００１８】
図１は請求項１に記載の発明の実施の形態例を示したもので、ゴルフ練習打席１の外周に、該ゴルフ練習打席１を所要の間隔を有して取囲むように形成した空気ダクト装置６を備えている。該空気ダクト装置６は、図１においては、外形が四角形の外側面７を有し、内形が八角形の内側面８を形成したダクト９を備えている。
【００１９】
上記八角形を有したダクト９の内側面８における八面の夫々には、ゴルフ練習打席１に向けて開口した空気口１０（１０ａ〜１０ｈ）が形成されており、更に該空気口１０の夫々には、別個に開閉が可能なゲート装置１１が備えられている。
【００２０】
更に、前記空気ダクト装置６の所要位置には、送風ファン１２の送風口１３が送風ダクト１４を介して接続されている。
【００２１】
前記ゴルフ練習打席１の打球方向前方位置には、一点鎖線で示すような例えば通気性を有するスクリーン１５が設けられており、また、打球方向前方位置における空気口１０ｄ，１０ｅ，１０ｆの前面及び上部位置には、打球の飛出しを防止するためのネット１８が設けられている。
【００２２】
更にゴルフ練習打席１の近傍にはモニターテレビを備えた操作盤１６が設けられている。操作盤１６は、練習者がスタンスをとった状態の映像、打球フォームの映像、インパクト時の瞬間映像、及びヘッドスピード、打球の方向、打球の飛距離等のデータをモニターテレビに表示できるようになっていると共に、風の向きと強さを入力することによりその風の向きと強さを表示し、且つゲート装置１１の開閉と送風ファン１２の駆動及び回転数制御を行って、前記設定された向きと強さの風１７をゴルフ練習打席１に向って吹出す制御を行うようになっている。また、シミュレーションゴルフゲームのソフトからのプログラムされた風向きと風力の制御信号を操作盤１６に入力して、プログラムに基づいた空気の吹出し制御を同様に行えるようになっている。図中１９は、練習者がゴルフ練習打席１に出入りするための扉である。
【００２３】
前記ダクト９の内側面８の形状は、前記した八角形以外の多角形としたり、或いは円形、又は楕円形とすることもでき、また、前記ゲート装置１１としては、開閉ダンパ、スライドゲートなど、空気口１０ａ〜１０ｈにおける空気の流れを開閉できるものであれば種々の方式のものを採用することができる。
【００２４】
また、前記ゴルフ練習打席１の上部近傍には、給水管２３に接続された散水ノズル２４が備えられている。また、前記給水管２３には、電磁弁２５、アキュムレータ２６、圧力調整弁２７、及び止弁２８が設けられており、電磁弁２５の開閉により圧力調整弁２７にて設定された所定圧力の水を散水ノズル２４から噴射することができるようになっている。
【００２５】
以下、図１に示した実施の形態例の作用を説明する。
【００２６】
ゴルフ練習者は、扉１９を通って空気ダクト装置６内に移動し、人工芝マット３或いは図示しないゴム製のティー上にボールを置き、ゴルフ練習打席１上にスタンスを取ってボールをゴルフクラブでショットすることにより練習を行う。
【００２７】
この時、操作盤１６により風の向きと風の強さを設定すると、設定された方向から設定された強さの風１７が内側（ゴルフ練習打席１方向）に向って吹出し、これにより練習者はゴルフコースでのプレーと同様の風を体感しながらショットの練習を行うことができる。
【００２８】
図１では、空気口１０ｇのゲート装置１１のみが開けられ、他の空気口１０ａ，１０ｂ，１０ｃ，１０ｄ，１０ｅ，１０ｆ，１０ｈのゲート装置１１は閉じられており、この状態で送風ファン１２が設定された回転数で駆動されることにより、練習者は、左から右に向って設定された強さで吹く風１７の中でショットの練習を行うことができる。
【００２９】
また、図１の形態例においては、空気ダクト装置６の内側面８を八角形としてその八角形の内側面８の夫々に、ゲート装置１１を備えた空気口１０ａ〜１０ｈを設けた構成としているので、前記ゲート装置１１の開閉操作によって、前記左から右に向う風１７以外に、右から左に向う風、前方或いは斜め前方からのアゲインストの風、後方或いは斜め後方からのフォローの風を任意に設定することができる。
【００３０】
上記したように、任意の方向からの任意の強さの風１７を設定することにより、設定した風の向きと強さとを肌で実感しながらショットの練習を行うことができるので、ゴルフコースでのプレーに即した効率的な練習をゴルフシミュレーションゲーム環境装置で行うことができる。
【００３１】
また、電磁弁２５を操作盤１６によって制御することにより、圧力調整弁２７にて設定された所定圧力の水を散水ノズル２４から噴射することができ、これにより雨を体感しながらショットの練習を行うことができる。
【００３２】
なお、前記図１の形態例においては、空気ダクト装置６に送風ファン１２の送風口１３を、送風ダクト１４を介して接続した場合について説明したが、前記空気口１０に対して夫々に或いは必要数だけ送風ファン１２を直接配置するようにしてもよい。このようにした場合は、ゴルフ練習打席１に風を吹きつける方向に設置された送風ファン１２のみを作動させることによって風向きを調節し、風の強さについては、送風ファン１２の台数制御或いはインバータ制御により対応することができる。
【００３３】
図２は請求項２に記載の発明の実施の形態例を示したもので、前記図１に示した空気ダクト装置６の下部に、該空気ダクト装置６と略同等の構成を有する下段の空気ダクト装置２０がゴルフ練習打席１を取囲むように設けられている。
【００３４】
図２に示した下段の空気ダクト装置２０は、ダクト９’が矩形の外側面７と矩形の内側面８’とを有しており、矩形の内側面８’の四面には夫々空気口１０’が形成されており、該空気口１０’の夫々にはゲート装置１１’が備えられている。
【００３５】
更に、上段の空気ダクト装置６には送風ファン１２の送風口１３が送風ダクト１４を介して接続されており、また前記下段の空気ダクト装置２０には前記送風ファン１２の吸引口２１が吸引ダクト２２を介して接続されている。
【００３６】
前記下段の空気ダクト装置２０の開口に備えたゲート装置１１’は、上段の空気ダクト装置６の空気口１０ａ〜１０ｈに備えたゲート装置１１が開いている位置に対して、ゴルフ練習打席１を挟んで対向方向或いは対角方向にある位置のものが開けられるように、ゲート装置１１とゲート装置１１’は、開閉が連動して制御されるようになっている。
【００３７】
上記図２に示した形態例によれば、上段の空気ダクト装置６の空気口１０ａ〜１０ｈに備えたゲート装置１１が開いている位置に対して、ゴルフ練習打席１を挟んで対向方向或いは対角方向にある下段の空気ダクト装置２０の空気口１０’に備えられたゲート装置１１’を開けるようにすると、送風ファン１２から上段の空気ダクト装置６に供給されてゲート装置１１が開けられた空気口１０ａ〜１０ｈから吹出した空気が、下段の空気ダクト装置２０のゲート装置１１’が開いている空気口１０’から吸引されて前記送風ファン１２に吸引されるようになるので、前記ゴルフ練習打席１上に空気の流れが形成されることになり、よって前記風の向き及び強さの調節を精度良く行わせることができる。
【００３８】
また、図２の形態例においても、空気ダクト装置６及び２０に、送風ダクト１４，２２を介して送風ファン１２の送風口１３を接続することなく、空気口１０に対して夫々に或いは必要数だけ送風ファン１２を直接配置するようにし、該送風ファン１２により所定の空気口１０から空気を噴出させ、同時に所要の空気口１０’から空気を吸引することにより空気を循環させるようにしてもよく、この場合もゴルフ練習打席１に風を吹きつける方向に設置された送風ファン１２のみを作動させることによって風向きを調節し、風の強さについては、送風ファン１２の台数制御或いはインバータ制御により対応することができる。
【００３９】
なお、図２の形態例において、空気口１０’から空気を噴出させて空気口１０から空気を吸引することにより循環させるようにすることもできること、図２の形態例においても図１の形態例と同様に散水ノズル２４を備えるようにしてもよいことは勿論である。
【００４０】
【発明の効果】
請求項１に記載の発明によれば、送風ファンを駆動して、ゴルフ練習打席を取り巻くように備えられた空気口における任意の空気口から任意の強さの風を吹出させることにより、風を体感しながらショットの練習を行うことができ、よってゴルフコースでのプレーに即した効率的な練習をゴルフシミュレーションゲーム環境装置で行うことができる効果がある。
【００４１】
請求項２に記載の発明によれば、ゴルフ練習打席上に希望の或いはプログラムされた空気の流れを形成させることができるので、風の向き及び強さの調節を精度良く行わせることができる効果がある。
【００４２】
請求項３に記載の発明によれば、ゴルフ練習打席の上部近傍に設けた散水ノズルから散水を行うことにより、雨中での練習を体感することができる効果がある。
【図面の簡単な説明】
【図１】  請求項１に記載の発明の実施の形態例を示す斜視図である。
【図２】  請求項２に記載の発明の実施の形態例を示す斜視図である。
【図３】  従来のゴルフシミュレーションゲーム環境装置の一例を示す斜視図である。
【符号の説明】
１          ゴルフ練習打席
６ 空気ダクト装置
１０（１０ａ〜１０ｈ）     空気口
１０’        空気口
１１ ゲート装置
１１’ ゲート装置
１２          送風ファン
１３ 送風口
２０ 空気ダクト装置
２１ 吸引口
２３          給水管
２４          散水ノズル
【図１】
0004041197.tif 000002
【図２】
0004041197.tif 000003
【図３】
0004041197.tif 000004